(57)【要約】【課題】照明の制御及び調整機能が改良された装着型ヘッドランプの提供。【解決手段】改良された照明の制御及び調整機能を実現できる装着型ヘッドランプが提供される。装着型ヘッドランプは、このヘッドランプの前方領域を照らすように構成された主発光ダイオード（ＬＥＤ）と、ヘッドランプを取り囲む周囲光のレベルを検出し、それに応じて主ＬＥＤが放射する光の光束を調整するように構成された光検出器とを含む。さらに、ヘッドランプは、主ＬＥＤの輝度が適切でない場合に照明を提供する代替の赤色ＬＥＤを含むことができる。さらに、主ＬＥＤ及び代替ＬＥＤの両方を、両ＬＥＤによって放射された光の方向の調整を可能にする回動自在なランプハウジング内に固定することができる。【選択図】図１
2014135277.tif 000002
【特許請求の範囲】
【請求項１】
装着型ヘッドランプであって、
前記ヘッドランプをユーザの頭部に固定するように構成された少なくとも１つのファスナを含むハウジングと、
前記ハウジングに作動的に結合され、周囲光を検出して検出周囲光に対応する電気信号を生成するように構成された光検出器と、
前記ハウジングに作動的に結合された発光ダイオードと、
を備え、
前記発光ダイオードは、前記光検出器が生成する前記電気信号に少なくとも部分的に基づいて変化する光束の可視光を放射するように構成され、前記発光ダイオードによって放射された光の光束が、前記検出周囲光の増加に応じて減少し、前記検出周囲光の減少に応じて増加する、
ことを特徴とする、装着型ヘッドランプ。
【請求項２】
少なくとも１つのユーザ入力デバイスと、
前記発光ダイオードを制御し、前記ユーザ入力デバイスを介して受ける入力に応じて２つ以上の照明モード間で切り替わるように構成された制御回路と、
を更に備え、
前記２つ以上の照明モードは、
前記発光ダイオードが、一定光束の可視光を放射する一定輝度モードと、
前記発光ダイオードが前記光検出器によって生成され電気信号に少なくとも部分的に基づいて変化する光束の可視光を放射する自動ディムモードと、
を備える、請求項１に記載の装着型ヘッドランプ。
【請求項３】
前記一定輝度モードは、前記発光ダイオードが第１の光束の可視光を放射する第１の一定輝度モードを含み、
前記照明モードは、前記発光ダイオードが前記第１の光束よりも小さい第２の光束の可視光を放射する第２の一定輝度モードを更に含む、請求項２に記載の装着型ヘッドランプ。
【請求項４】
前記発光ダイオードは、第１の発光ダイオードであり、前記装着型ヘッドランプは、前記ハウジングに作動的に結合された第２の発光ダイオードを更に備え、
前記第２の発光ダイオードは、赤色スペクトルの可視光を放射するように構成され、
前記照明モードは、前記第２の発光ダイオードが前記赤色スペクトルの可視光を発し、かつ前記第１の発光ダイオードが可視光を発しない、赤色光モードを更に有する、請求項２に記載の装着型ヘッドランプ。
【請求項５】
前記少なくとも１つのユーザ入力デバイスは、押し下げ可能なボタンを備える、請求項２に記載の装着型ヘッドランプ。
【請求項６】
前記ハウジングは、外向きに延びる少なくとも１つの保持部材を有する第１のハウジングを備え、
前記発光ダイオードは、第２のハウジングに固定され、
前記第２のハウジングの第１の部分は、前記第１のハウジングに回動自在に結合され、前記第２のハウジングの第２の部分は、前記第１のハウジングの前記保持部材の少なくとも一部分に係合し、前記保持部材と前記第２のハウジングとの係合は、ユーザによって意図的に力が加えられない限り、前記第２のハウジングを前記第１のハウジングに対して安定位置に維持し、ユーザによって意図的に力が加えられると、前記第２のハウジングが前記第１のハウジングに対して回動して、前記発光ダイオードから放射された可視光の前記第１のハウジングに対する方向を調整するように構成される、請求項１に記載の装着型ヘッドランプ。
【請求項７】
前記第２のハウジングは、前記第１のハウジングに対して、機械的に定められた２つ以上の位置の間で回動するように構成される、請求項６に記載の装着型ヘッドランプ。
【請求項８】
前記保持部材及び前記第２のハウジングの少なくとも一方は、複数の離間した表面係合特徴部を構成し、
前記保持部材及び前記第２のハウジングの少なくとも一方は、前記離間した表面係合特徴部と係合するように構成された少なくとも１つの嵌合表面係合特徴部を構成し、
前記少なくとも１つの嵌合表面係合特徴部と前記離間した表面係合特徴部の少なくとも一つとの係合により、ユーザによって意図的に力が加えられない限り、前記第２のハウジングは前記第１のハウジングに対して安定位置を維持し、ユーザによって意図的に力が加えられると、前記第２のハウジングは前記第１のハウジングに対して回動して前記嵌合表面係合特徴部が別の前記離間した表面係合特徴部に係合して、前記発光ダイオードから放射された可視光の前記第１のハウジングに対する方向を調整する、請求項６に記載の装着型ヘッドランプ。
【請求項９】
前記複数の離間した表面係合特徴部は、前記保持部材に構成され順次離間した一連のくぼみを備え、
前記少なくとも１つの嵌合表面係合特徴部は、前記第２のハウジングに構成された丸い突起部を備える、請求項８に記載の装着型ヘッドランプ。
【請求項１０】
前記外向きに延びる保持部材は、概して弓形の外形を有し、前記第２のハウジングを少なくとも部分的に取り囲む、請求項６に記載の装着型ヘッドランプ。
【請求項１１】
前記第２のハウジングは、該第２のハウジングの表面に構成され、前記発光ダイオードから発生した熱を放散するように構成されたヒートシンクを含む、請求項６に記載の装着型ヘッドランプ。
【請求項１２】
前記ヒートシンクは、前記第１のハウジングに面する前記第２のハウジングの後壁部に構成され、
前記外向きに延びる保持部材は、前記第２のハウジングを少なくとも部分的に取り囲み、ユーザが前記ヒートシンクの表面と不用意に接触することを防止する、請求項１１に記載の装着型ヘッドランプ。
【請求項１３】
前記少なくとも１つのファスナは、ユーザの頭部、ヘルメット又はその他の頭部装着装置の周りに固定されるように構成されたヘッドバンドを備える、請求項１に記載の装着型ヘッドランプ。
【請求項１４】
周囲光を検出するように構成された光検出器と、
前記光検出器によって検出された前記周囲光に少なくとも部分的に基づいて変化する光束の可視光を放射するように構成された光源と、
を備えることを特徴とする、装着型ヘッドランプ。
【発明の詳細な説明】
【技術分野】
【０００１】
本明細書に記載された本発明の種々の実施形態は、概して、装着型ヘッドランプに関し、より詳細には、照明の制御及び調整機能が改良された装着型ヘッドランプに関する。
【背景技術】
【０００２】
装着型ヘッドランプは、様々なスポーツ又は営利行為用の照明を提供するために頻繁に使用される。一例として、多くのスポーツ用ヘッドランプは伸縮性ヘッドバンドを備えており、ハイカー及び登山者がヘッドランプを自身の頭部又はヘルメット上に着用して微光環境においてハンズフリーでの視認性をもたらすことができる。このタイプのヘッドランプは、例えば夜間にコースを進み、暗闇でテントを張り、又は早朝に登山を行う場合に使用される場合がある。また、これらのヘッドランプは、微光の建設現場のような商業又は公安環境において、或いは火災救助中、ハンズフリー照明を提供するように構成することができる。
【０００３】
しかしながら、本技術分野で公知の装着型ヘッドランプには幾つかの欠点がある。前述の用途において、ヘッドランプから放射される光の強度を調整することが必要となる場合がある。夜間にコースを進むハイカーは、自身の前の道を見るためには高光度の光線を必要とするが、地図に視線を落とす場合には高光度の光線で照らすと目がくらむ状態に近くなるのでより低光度の光線を好む。さらに、照明面を見る場合、明る過ぎる光によってユーザの目は過調整状態になり、このことにより、その後微光での視認（例えば、望遠鏡で星を眺める場合）が制限される可能性がある。
【発明の概要】
【発明が解決しようとする課題】
【０００４】
既存のヘッドランプは、手動調整可能な光度の光を放射するように構成された光源を含むが、ユーザが放射光の光度を手動で繰り返し調整することは、特に前述の行為に関する活動中に面倒となる可能性がある。また、既存のヘッドランプは、ヘッドランプから放射される光の強度又は波長を別の方法で調整するための選択肢が限られている。従って、本技術分野では、放射光の光度を既存のヘッドランプよりも好都合に調整可能なヘッドランプ、及び照明の選択肢が広範囲にわたり多種多様な用途に適したヘッドランプに関して継続的な要望がある。
【０００５】
さらに、幾つかのヘッドランプは、それらの光源が、移動可能又は別の方法で調整可能で、放射光の向きを変えることができるように構成されている。例えば、登山者は、登山中には放射光を前方で自身の直前に向けることが有用であると考える場合があり、ロープを外す又はビレイデバイスを装着する場合には放射光を下方に向けることを望む場合がある。しかしながら、本技術分野における方向調整可能なヘッドランプは、使用中に向きを変えることが困難な場合が又は意図せずに調整される傾向がある。
【０００６】
前述したことに加えて、既存のヘッドランプで使用される光源は、発生する熱を放散させる必要がある。一例として、幾つかの既存の特定のヘッドランプは、ハウジング内に収容されたヒートシンクデバイスを利用してヘッドランプの光源（例えば、ＬＥＤ）から発生する大量の熱を放散させる。しかしながら、このタイプの内部ヒートシンクを介して、光源から発生する熱を放散させると、ハウジング自体が熱くなり、ヘッドランプはユーザが着用するには不快となる可能性がある。
【課題を解決するための手段】
【０００７】
本発明の様々な実施形態は、装着型ヘッドランプに関する。様々な実施形態によれば、装着型ヘッドランプは、周囲光を検出するように構成された光検出器と、光検出器によって検出された周囲光に少なくとも部分的に基づいて変化する光束の可視光を放射するように構成された光源と、を備える。
【０００８】
例えば、一実施形態の装着型ヘッドランプは、ヘッドランプをユーザの頭部に固定するように構成された少なくとも１つのファスナを含むハウジングと、ハウジングに作動的に結合され、周囲光を検出して検出周囲光に対応する電気信号を生成するように構成された光検出器と、ハウジングに作動的に結合された発光ダイオードと、を含むことができ、発光ダイオードは、光検出器が生成した電気信号に少なくとも部分的に基づいて変化する光束の可視光を放射するように構成され、発光ダイオードによって放射された光の光束は、検出周囲光の増加に応じて減少し、検出周囲光の減少に応じて増加する。
【０００９】
本発明の特定の実施形態を概略的な用語を用いて前述したが、ここで、必ずしも縮尺通りに図示されてない添付図面を説明する。
【図面の簡単な説明】
【００１０】
【図１】本発明の一実施形態によるヘッドランプの斜視図である。
【図２】本発明の一実施形態によるヘッドランプの主ハウジングの斜視図である。
【図３】本発明の一実施形態によるヘッドランプの主ハウジングの下面図である。
【図４】本発明の一実施形態によるヘッドランプのランプハウジングの正面図である。
【図５】本発明の一実施形態によるヘッドランプのランプハウジングの後方から見た斜視図である。
【図６】ランプハウジングが上方の前向き位置に回動される、本発明の一実施形態によるヘッドランプの側面図である。
【図７】ランプハウジングが下方の下向き位置に回動される、本発明の一実施形態によるヘッドランプの側面図である。
【図８】本発明の一実施形態によるヘッドランプの主ハウジングの詳細な下面図である。
【発明を実施するための形態】
【００１１】
ここで、本発明の実施形態の全てではなく幾つかを示す添付図面を参照しながら、本発明を以下により詳細に説明する。実際、本発明は、多くの異なる形態で具体化でき、本明細書に記載された実施形態に限定されると解釈すべきでなく、むしろこれらの実施形態は、本開示が適用可能な法的要件を満たすようにして提供される。全体を通じて同じ参照番号は同じ構成要素を指す。
【００１２】
本発明の様々な実施形態は、概して、照明の制御及び調整機能が改良された装着型ヘッドランプに関する。以下に詳細に説明するように、装着型ヘッドランプの様々な実施形態は、このヘッドランプの前方領域を照らすように構成された主発光ダイオード（ＬＥＤ）と、ヘッドランプを取り囲む周囲光のレベルを検出し、それに応じて主ＬＥＤによって放射される光の光束を調整するように構成された光検出器とを含む。追加的に、特定の実施形態によれば、ヘッドランプは、主ＬＥＤの輝度が適切でない場合に照明を可能にする代替ＬＥＤを含む。さらに、主ＬＥＤ及び代替ＬＥＤの両方は、両ＬＥＤによって放射された光の方向の調整を可能にする回動自在なランプハウジング内に固定することができる。
【００１３】
（装着型ヘッドランプ）
図１は、本発明の一実施形態による装着型ヘッドランプ２を示す。図１に示されるように、ヘッドランプ２は、全体として主ハウジング１００、ランプハウジング２００及びヘッドバンド１０を備える。以下に詳細に説明するように、ランプハウジング２００は、主ハウジング１００に回動自在に結合され、主ＬＥＤ２３０、代替ＬＥＤ２４０及び光検出器２５０を含み、これらは一緒に機能してヘッドランプ２の前方領域を照らす幾つかの照明モードを提供する。加えて、ヘッドバンド１０は、主ハウジング１００に固定され装着型ヘッドランプ２をユーザの頭部又はヘルメットの周りで着用できるようになっているので（例えば、主ハウジング１００及びランプハウジング２００がユーザの額の近くで固定されている状態）、ユーザのハンズフリー照明が可能となる。例示の実施形態では、ヘッドバンド１０は、ヘッドランプ２を他の特徴要素（例えば、ユーザのリュックサック、ベルト、又は同様のもの）に固定するように構成されたカラビナクリップ１２を含む。
【００１４】
図２は、一実施形態による主ハウジング１００のより詳細な図を示す。図２に示されるように、主ハウジング１００は、全体が、上壁部１０２、開口部１０６を構成する一対の側壁部１０４、下壁部１０７、前壁部１０８、及び後壁部１０９に構成される。幾つかの実施形態によれば、主ハウジング１００は、ヘッドランプの制御回路及び電力供給装置（例えば、充電可能なバッテリ）を収容するように構成される。加えて、主ハウジング１００は、上壁部１０２に設けられた押し下げ可能なボタン１２０を含む。以下に詳細に説明するように、押し下げ可能なボタン１２０は、ヘッドランプ２の幾つかの照明モードを制御するユーザ入力デバイスとして機能する。しかしながら、他の幾つかの実施形態によれば、ボタン１２０に加えて又は代わりに、スイッチ、タッチセンサ、又は同様のもののような任意の適切なユーザ入力デバイスを使用して、ヘッドランプ２の幾つかの照明モードを制御することができる。
【００１５】
さらに、主ハウジング１００は、主ハウジング１００の前壁部１０８から外向きに延びる保持部材１１０を含む。図２に例示された実施形態では、保持部材１１０は、概して弓形の外形を有し、内部空洞部１１１を構成する。加えて、保持部材１１０の側面は、一対の開口部１３０及び一対の内向き突出ピン１１５を構成する。以下に詳細に説明するように、保持部材のピン１１５は、ヘッドランプのランプハウジング２００に回動自在に係合するように機能し、開口部１３０は、空洞部１１１のための通気口として機能し、これにより熱は、ランプハウジングの後壁部に設けられたヒートシンクから逃げる。
【００１６】
図３は、主ハウジング１００の下面図を示し、とりわけ保持部材１１０の内壁部を示す。図３に示されるように、保持部材の内壁部は、くぼみ１１３の２つの列１１２を構成する。例示の実施形態では、各くぼみ１１３は、保持部材の内壁部の丸いくぼんだ部分を備え、各列１１２に沿って順次離間する。本明細書で詳細に説明するように、くぼみ１１３は、離間した表面係合特徴部として機能し、ランプハウジング２００の嵌合表面係合特徴部と係合するように構成される。図３には、主ハウジングの側壁部１０４に構成された開口部１０６に通されたヘッドランプのヘッドバンド１０の一部も示される。ヘッドバンド１０は、ヘッドランプ２用のファスナとして機能する。例えば、ヘッドバンド１０をユーザの頭部又はヘルメットの周りに固定した場合、主ハウジング１００、結果的にランプハウジング２００は、ユーザの額に固定することができる。一般的に、本明細書において「ヘッドランプをユーザの頭部に固定する」への言及は、ユーザの頭部、ヘルメット、又はその他の頭部装着装置にヘッドランプを直接固定する能力に言及することが意図されている。しかしながら、本明細書の説明から分かるように、ヘッドランプ２の他の幾つかの実施形態は、ヘッドバンド１０に加えて又は代わりその他のファスナを含むことができる。実際、スナップ、クリップ、フック及びループファスナ、並びに同様のものを含む様々なファスナが設けられ、ユーザの体、衣服、又は備品の様々な部分にヘッドランプ２を固定することができる。
【００１７】
図４及び図５は、それぞれランプハウジング２００の前面図及び後方から見た斜視図を示す。例示の実施形態において、ランプハウジング２００は、全体が、外壁部２０２、前壁部２０４、及び後壁部２０６に構成される。図４に示すように、ヘッドランプの主ＬＥＤ２３０、代替ＬＥＤ２４０、及び光検出器２５０は、ランプハウジング２００の前壁部２０４に配置される。特に、主ＬＥＤ２３０は、前壁部２０４の中央部に設けられ、回転可能なベゼル２３１で取り囲まれる。幾つかの実施形態によれば、主ＬＥＤ２３０、例えばＣｒｅｅ  ＸＰ−Ｇ２は、白色光を発してヘッドランプ２の前方領域を照らすように構成することができる。幾つかの実施形態によれば、主ＬＥＤの光束は、ヘッドランプ２の意図された用途及び市販ＬＥＤの機能に基づく任意の適切な値とすることもできる。一例として、特定の実施形態では、主ＬＥＤの光束は、約１５ルーメンから約２００ルーメンの間で調整することができる。追加的に、主ＬＥＤ２３０を取り囲む回転可能なベゼル２３１は、回転して、主ＬＥＤ２３０の焦点を広域と狭域との間で調整することができる。以下に詳細に説明するように、主ＬＥＤ２３０から放射される光度は、その光束及び焦点を調整することによって制御可能である。
【００１８】
図４に例示された実施形態では、代替ＬＥＤ２４０は、主ＬＥＤ２３０のわずかに下方でその左側に配置される。幾つかの実施形態によれば、代替ＬＥＤ２４０、例えばＮｉｃｈｉａ  ＮＳＰＲ５１０ＧＳ−Ｅは、赤色光等の所定色の光を発してヘッドランプ２の前方領域を照らすように構成することができる。幾つかの実施形態によれば、代替ＬＥＤの光束は、ヘッドランプ２の意図された用途及び市販ＬＥＤの機能に基づく任意の適切な値とすることもできる。特定の実施形態では、代替ＬＥＤ２４０から放射される赤色光の光束は、主ＬＥＤ２３０の光束よりも小さく（例えば、２ルーメン）することができる。一般的に、代替ＬＥＤ２４０は、特にユーザが微光で物を見る（例えば、望遠鏡で星を眺める）場合に有用であり、ユーザの目を調整して夜間視認性を低下させることなく、ヘッドランプ２の前方領域を一時的に照らす必要がある。実際、代替ＬＥＤ２４０から放射される赤色光は、ユーザの目を相当に調整して夜間視認性を低下させることなく、近くの物（例えば、地図）を微光で視認可能に照らすには十分である。他の幾つかの実施形態によれば、代替ＬＥＤ２４０は、その他のスペクトル（例えば、青色又は緑色の光）の可視光を放射するように構成されたＬＥＤを備えることができる。
【００１９】
代替ＬＥＤ２４０の反対側には、光検出器２５０が、主ＬＥＤ２３０のわずかに下方でその右側に配置される。幾つかの実施形態によれば、光検出器２５０は、ヘッドランプ２を取り囲む周囲光のレベルを検出するように構成される。以下に詳細に説明するように、光検出器２５０は、検出した周囲光に対応した電気信号を生成し、次にこの電気信号が主ＬＥＤ２３０をフィードバック制御するための入力として使用されるように構成される。幾つかの実施形態によれば、光検出器２５０は、例えば１２Ｃバスインターフェース、人間の目程度のスペクトル感度、５０Ｈｚから６０Ｈｚの光ノイズ除去機能、及び照度デジタル変換器を含むことができる。
【００２０】
図５を参照すると、ランプハウジング２００の後壁部２０６は、ヒートシンク２２０を含む。例示の実施形態では、ヒートシンク２２０は、後壁部２０６から外向きに延びる複数のフィンを有する熱伝導性金属板を備える。幾つかの実施形態によれば、ヒートシンク２２０は、ランプハウジング２００の前壁部２０４に配置されたＬＥＤ２３０、２４０から発生する熱を発散させるように機能する。特に、ヒートシンク２２０をランプハウジング２００の後壁部２０６に配置することにより、熱は、保持部材１１０の側面に構成された開口部１３０を通って逃げることができる。加えて、図１から図８から分かるように、保持部材１１０は、ランプハウジング２００を部分的に取り囲むので、ユーザの指が不用意にヒートシンク２２０の表面に接触することを防止するガードとして機能する。
【００２１】
さらに、ランプハウジング２００の後壁部２０６は、ケーブルポート２０８を含む。ケーブルポート２０８は、主ハウジング１００の制御回路をＬＥＤ２３０、２４０、及び光検出器２５０と接続させるケーブルのための結合部として機能する。これらによって、以下に詳細に説明するように、制御回路は、ＬＥＤ２３０、２４０の幾つかの照明モードを制御することができる。
【００２２】
例示の実施形態では、外壁部２０２の側面は、一対のピン穴２０７を構成し、各ピン穴は、保持部材のピン１１５の一つを受け入れるような寸法とされる。ピン１１５がピン穴２０７と係合することによって、ランプハウジング２００は、実質的に保持部材１１０の空洞部１１１内に位置し（例えば、図１に示す）、主ハウジング１００に対して（例えば、図６及び図７に示すようにピボット軸Ｐ１の周りで）回動することができる。例えば、図６は、主ハウジング１００に回動自在に結合され、主ハウジング１００に対して上方の前向き位置に回動したランプハウジング２００を示す。図６の位置において、ランプハウジングのＬＥＤ２３０、２４０は、概して第１の方向Ｄ１に向けられて、ヘッドランプ２がユーザの頭部又はヘルメットに固定された場合、ＬＥＤ２３０、２４０がユーザの前方領域（例えば、ハイキングの場合にはユーザの前にあるコースの一部）を良好に照らす。しかしながら、図７に示されるように、ランプハウジング２００は、主ハウジング１００に対して下方の下向き位置に回動可能である。図７の位置において、ランプハウジングのＬＥＤ２３０、２４０は、概して第２の方向Ｄ２に向けられて、ユーザの前方領域（例えば、ユーザの頭部の下で保持された地図）を照らす。
【００２３】
ランプハウジング２００が機械的に定められた複数の固定位置の間で回動できるように、ランプハウジング２００は、主ハウジングの保持部材１１０と係合するように構成された嵌合保持部材２１０を含む。図５に示すように、嵌合保持部材２１０は、ランプハウジングの後壁部２０６の上縁部から外向きに延びる。例示の実施形態では、嵌合保持部材２１０は、その側面に一対の丸い突起部２１２を構成する。丸い突起部２１２の各々は、主ハウジングの保持部材１１０の内壁部に構成されたくぼみ１１３の一つと係合するような寸法とされる。このようして、丸い突起部２１２の各々は、嵌合表面係合特徴部として機能する。
【００２４】
詳細には、ランプハウジングの嵌合保持部材２１０が保持部材１１０に対して配置され、丸い突起部２１２とくぼみ１１３との係合によって、ランプハウジング２００は、ユーザによって意図的に力が加えられない限り、主ハウジング１００に対して安定位置に維持されるようになる。しかしながら、丸い突起部２１２とくぼみ１１３との係合はかなり弱く、ユーザによって意図的に力が加えられると、丸い突起部２１２とくぼみ１１３との係合が解除され、ランプハウジング２００は、丸い突起部２１２が次の対のくぼみ１１３と係合するまでユーザが加えた力の方向に回動するようになっている。このようして、丸い突起部２１２とくぼみ１１３との係合によって、ランプハウジング２００は、ユーザによって意図的に力が加えられると、主ハウジング１００に対して、機械的に定められた複数の位置の間で回動することができる。ＬＥＤ２３０、２４０によって放射された光の主ハウジング１００に対する方向は、このようして調整することができる。
【００２５】
例えば、図８は、主ハウジングの保持部材１１０のより詳細な下面図を示す。ランプハウジング２００が図６の上方の前向き位置に回動した状態では、嵌合保持部材の丸い突起部２１２は、主ハウジングの前壁部１０８に最も近い一対のくぼみ１１３ａと係合する。同様に、ランプハウジング２００が図７の下方の下向き位置に回動した状態では、嵌合保持部材の丸い突起部２１２は、主ハウジングの前壁部１０８から最も遠い一対のくぼみ１１３ｂと係合する。図８から分かるように、くぼみの対１１３ａと１１３ｂとの間に位置する複数対のくぼみ１１３により、ランプハウジング２００は、図６及び図７に示された位置を含みこれらの位置の間の機械的に定められた複数位置の間で回動することができる。このようして、ランプハウジングのＬＥＤ２３０、２４０から放射された光の方向は、調整することができる。
【００２６】
（ヘッドランプの作動及び制御）
前述したように、ヘッドランプの主ハウジング１００は、ヘッドランプの制御回路及び電力供給装置を収容するように構成される。幾つかの実施形態によれば、制御回路は、ヘッドランプのＬＥＤ２３０、２４０を制御するように構成された集積回路とすることができ、電力供給装置は、充電可能なバッテリパック又は使い捨てバッテリを備えることができる。幾つかの実施形態では、ヘッドランプの制御回路は、ヘッドランプ２３０、２４０によって放射された光の様々な態様を変更する複数の照明モードで構成することができる。一例として、一実施形態では、ヘッドランプの制御回路は、以下の照明モード、すなわち(１)一定高輝度モード、（２）一定低輝度モード、（３）自動増減光モード（auto-dim mode）、（４）フラッシュモード及び（５）赤色光モードを有して構成される。本明細書で使用するように、高低の指定は、一定高輝度モードが、なんらかの特定レベルの輝度を含むことなく、一定低輝度モード以上のコントラストを有するという相対的な意味で使用される。以下により詳細に説明するように、ユーザは、ヘッドランプのボタン１２０を使用して幾つかの照明モードの間で切り替えを行うことができる。
【００２７】
幾つかの実施形態によれば、制御回路が一定高輝度モードにある状態で、主ＬＥＤ２３０は、相対的に高い一定の光束（例えば、２００ルーメン）及び高い光度（例えば、４３２５カンデラ）の可視光を放射する。対照的に、制御回路が一定低輝度モードにある状態で、主ＬＥＤ２３０は、相対的に低い一定の光束（例えば、１５ルーメン）及び低い光度（例えば、３４２カンデラ）の可視光を放射する。一定低輝度モードでは、主ＬＥＤ２３０によって放射された光の光束は、主ＬＥＤ２３０が一定高輝度モードにある場合に放射する光の光束よりも低い。一定高輝度モード及び一定低輝度モードの両方において、代替ＬＥＤ２４０は照光せず、主ＬＥＤ２３０の光束は、光検出器２５０からのフィードバックに基づいて調整されない。しかしながら、両方のモードにおいて、主ＬＥＤ２３０の光度は、ベゼル２３１を回転させて狭範囲又は広範囲にわたって放射光の焦点を合わせることによって調整可能である。
【００２８】
自動増減光モードに切り替わった場合、制御回路は、ヘッドランプ２を取り囲む周囲光のレベルを、光検出器２５０によって生成される前記電気信号に基づいて監視する。このとき、制御回路は、光検出器２５０によって検出された周囲光のレベルに対応するように主ＬＥＤ２３０の出力を調整する。例えば、ヘッドランプ２を取り囲む周囲光のレベルが低下したことを制御回路が検出した場合、制御回路は、電力供給装置に、主ＬＥＤ２３０に供給される電流を増加させ、結果的に主ＬＥＤ２３０が放射する光の光束を増加させる。同様に、ヘッドランプ２を取り囲む周囲光のレベルが増加したことを制御回路が検出した場合、制御回路は、電力供給装置に、主ＬＥＤ２３０に供給される電流を低減させ、結果的に主ＬＥＤ２３０が放射する光の光束を低減させる。このようして、ヘッドランプ２は、主ＬＥＤ２３０が放射する光の光度を自動的に調整することができる。
【００２９】
フラッシュモードにおいて、制御回路は、主ＬＥＤ２３０に、（例えば、一定光束の不可視光及び可視光を断続的に放射することによって）点滅させる。このモードでは、代替ＬＥＤ２４０は発光しない。赤色光モードでは、主ＬＥＤ２３０が消灯し、代替ＬＥＤ２４０が、点灯して一定光束（例えば、２ルーメン）を有する赤色スペクトルの可視光を放射する。従って、赤色モードでは、赤色スペクトル内の光のみが放射され、ヘッドランプ２は、ユーザの目を有意に調整して夜間視認性を低下させることなくユーザの近くの表面を照らすことができる。
【００３０】
（別の実施形態）
本明細書の説明から分かるように、ヘッドランプ２の様々な変更例は本発明の範囲内であることが想定される。例えば、ヘッドランプ２の様々な実施形態は、図１から図８に示したものとは異なる保持部材、嵌合保持部材、表面係合特徴部及び嵌合表面係合特徴部を含むことができる。例えば、幾つかの実施形態によれば、保持部材１１０は、単一列のくぼみ１１３若しくは複数列のくぼみ１１３、又は異なるタイプの保持機構をも含むことができる。同様に、嵌合保持部材２１０は、単一の丸い突起部２１２若しくは複数の丸い突起部２１２、又は別のタイプの嵌合保持機構をも含むことができる。その他の実施形態において、くぼみ１１３及び突起部２１２は、丸い形状ではなく、その他の適切な外形の突出した及び凹形の表面領域を有することができる。追加的に、幾つかの実施形態では、保持部材１１０が、突出した表面部の列を構成し、嵌合保持部材２１０が、凹形の表面部分を構成することができる。
【００３１】
加えて、保持部材１１０の幾つかの実施形態は、主ハウジング１００を構成する単一の材料で形成すること、又は主ハウジング１００の前壁部に取り付けられ別個に形成された材料で構成することができる。加えて、幾つかの実施形態の保持部材は、弓形の外形ではなく、内部空洞部１１１を構成しない場合がある。例えば、特定の実施形態では、主ハウジング１００は、その側面から外向きに延びる一対の保持部材を含むことができる（例えば、ランプハウジング２００は、その側面に構成された対応する嵌合保持部材を含む）。別の実施形態では、ランプハウジング２００は、保持部材ではなく、主ハウジング１００の前壁部に回動自在に固定することができる。
【００３２】
さらに、ヘッドランプ２の他の幾つかの実施形態は、より少ない又は追加の光源を含むことができる。例えば、特定の実施形態は、代替ＬＥＤ２４０を含まないことができる。加えて、特定の実施形態では、主ＬＥＤ２３０は、同様に機能する白熱電球等の別の光源に置き換えることができる。
【００３３】
（結論）
前述の説明及び関連する図面で提示された教示の恩恵を有し本発明に関連する技術分野の当業者は、本発明の多くの変更例及びその他の実施形態を想到するであろう。従って、本発明は開示された特定の実施形態に限定されるものではなく、変更例及びその他の実施形態は添付の特許請求の範囲内に含まれることが意図されていることを理解されたい。本明細書では特定の用語を用いるが、それらは、限定する目的ではなく一般的及び説明的な意味でのみ使用される。
【符号の説明】
【００３４】
２  ヘッドランプ
１０  ヘッドバンド
１００  主ハウジング
１１０  保持部材
１２０  ボタン
２００  ランプハウジング
２３０  主ＬＥＤ
２４０  代替ＬＥＤ
２５０  光検出器
【図１】
2014135277.tif 000003
【図２】
2014135277.tif 000004
【図３】
2014135277.tif 000005
【図４】
2014135277.tif 000006
【図５】
2014135277.tif 000007
【図６】
2014135277.tif 000008
【図７】
2014135277.tif 000009
【図８】
2014135277.tif 000010
【外国語明細書】
2014135277000001.pdf